(57)【要約】【課題】紙媒体上の料理レシピを用いて、調理支援を行うことができる画像形成装置を提供する。【解決手段】原稿の画像データを読み取る原稿読取部３と、調理機器（オーブンレンジ２０ａ、コンロ２０ｂ）との間で情報の送受信を行う通信部４とを備えた画像形成装置１であって、原稿読取部３によって読み取られた料理レシピの画像データを文字列に変換して、調理に用いる機能を特定し、特定した機能を有する調理機器を特定する調理機器特定部８１と、調理機器特定部８１によって特定された機能の調理出力及び稼働時間を前記料理レシピから抽出する設定情報抽出部８２と、調理機器特定部８１によって特定された調理機器に、設定情報抽出部８２によって抽出された調理出力及び稼働時間を設定情報として通知する設定通知部８４とを備えている。【選択図】図１
2018207361.tif 000002
【特許請求の範囲】
【請求項１】
原稿の画像データを読み取る原稿読取部と、調理機器との間で情報の送受信を行う通信部とを備えた画像形成装置であって、
前記原稿読取部によって読み取られた料理レシピの画像データを文字列に変換して、調理に用いる機能を特定し、特定した機能を有する前記調理機器を特定する調理機器特定部と、
前記調理機器特定部によって特定された機能の調理出力及び稼働時間を前記料理レシピから抽出する設定情報抽出部と、
前記調理機器特定部によって特定された前記調理機器に、前記設定情報抽出部によって抽出された調理出力及び稼働時間を設定情報として通知する設定通知部とを具備することを特徴とする画像形成装置。
【請求項２】
前記料理レシピから総調理時間を抽出する調理時間抽出部を具備し、
前記設定通知部は、前記総調理時間と前記稼働時間とに基づいて設定時刻を算出し、前記調理機器において前記設定時刻に前記設定情報を設定させることを特徴とする請求項１記載の画像形成装置。
【請求項３】
前記調理機器特定部によって特定された機能がオーブン機能である場合、前記設定通知部は、前記調理機器において前記設定時刻に前記設定情報で通知した調理出力に到達させることを特徴とする請求項２記載の画像形成装置。
【請求項４】
前記調理機器において前記設定時刻に前記設定情報が設定された後、調理が開始されることなく猶予時間が経過すると、設定解除を通知する設定解除部を具備することを特徴とする請求項２又は３記載の画像形成装置。
【請求項５】
前記通信部は、設定情報の通知を指示する通知ボタンがレイアウトされた前記料理レシピの画像データを情報機器に送信し、
前記設定通知部は、前記通知ボタンが操作されたタイミングで前記設定情報を通知することを特徴とする請求項１記載の画像形成装置。
【発明の詳細な説明】
【技術分野】
【０００１】
本発明は、紙媒体上の原稿画像を読み取るスキャナー機能を備えた画像形成装置に関するものである。
【背景技術】
【０００２】
近年、複数の調理機器が接続されたネットワーク上で調理支援を行う調理支援装置が提案されている（例えば、特許文献１参照）。特許文献１では、ネットワークでつながって利用可能な調理機器の情報を取得し、入力された料理のメニューと調理機器の構成に合わせた調理手法を提示して、調理支援を行うことができる。
【先行技術文献】
【特許文献】
【０００３】
【特許文献１】特開２００１−１９０２３５号公報
【発明の概要】
【発明が解決しようとする課題】
【０００４】
しかしながら、従来技術では、取り扱うことができる料理のレシピは調理支援装置に記憶させているレシピやサーバに記憶しているレシピのみであり、記憶していないレシピに関しては新規追加しない限り、取り扱うことができないという問題点があった。
【０００５】
本発明は、かかる点に鑑みてなされたものであり、その目的とするところは、紙媒体上の料理レシピを用いて、調理支援を行うことができる画像形成装置を提供することである。
【課題を解決するための手段】
【０００６】
本発明の画像形成装置は、原稿の画像データを読み取る原稿読取部と、調理機器との間で情報の送受信を行う通信部とを備えた画像形成装置であって、前記原稿読取部によって読み取られた料理レシピの画像データを文字列に変換して、調理に用いる機能を特定し、特定した機能を有する前記調理機器を特定する調理機器特定部と、前記調理機器特定部によって特定された機能の調理出力及び稼働時間を前記料理レシピから抽出する設定情報抽出部と、前記調理機器特定部によって特定された前記調理機器に、前記設定情報抽出部によって抽出された調理出力及び稼働時間を設定情報として通知する設定通知部とを具備することを特徴とする。
【発明の効果】
【０００７】
本発明によれば、紙媒体上の料理レシピに基づいて、調理機器を設定することができるため、紙媒体上の料理レシピを用いて、調理支援を行うことができるという効果を奏する。
【図面の簡単な説明】
【０００８】
【図１】本発明に係る画像形成装置の実施の形態の概略構成を示すブロック図である。
【図２】図１に示す記憶部に記憶された調理機器機能情報例を示す図である。
【図３】図１に示す画像形成装置による調理支援動作を説明するフローチャートである。
【図４】図１に示すタブレットの表示例を示す図である。
【発明を実施するための形態】
【０００９】
次に、本発明の実施の形態を、図面を参照して具体的に説明する。なお、以下の実施の形態において、同様の機能を示す構成には、同一の符号を付して適宜説明を省略する。
【００１０】
本実施の形態の画像形成装置１は、複写機やＭＦＰ（Multifunction Peripheral/Printer/Product）等であり、図１を参照すると、操作部２と、原稿読取部３と、通信部４と、記憶部５と、画像処理部６と、印刷部７と、制御部８とを備えている。
【００１１】
操作部２は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたり、入力された数値を消去させたりするためのストップキー、割り込みコピーを指示する割り込みキー、印刷動作を開始させる出力指示を入力するためのスタートキー等の各種操作キーを備えたユーザーインターフェースである。
【００１２】
原稿読取部３は、図示しない原稿給紙装置により給紙されてきた原稿や、ユーザーによってコンタクトガラスに載置された原稿に対して光を照射し、その反射光等を受光して画像データを読み取るスキャナーである。
【００１３】
通信部４は、ＬＡＮ等のネットワーク１０を介して接続された調理機器や表示部を備えた情報機器との間で情報の送受信を行う機能を備えている。本実施の形態において、ネットワーク１０には、調理機器としてオーブン機能及びレンジ機能を備えたオーブンレンジ２０ａと、過熱機能を備えたコンロ２０ｂが接続され、情報機器としてタブレット３０ａが接続されている。なお、調理機器は、炊飯器やホットプレート等であっても良い。また、情報機器は、スマートフォン等の携帯端末やテレビ等であっても良い。
【００１４】
記憶部５は、半導体メモリーやＨＤＤ（Hard Disk Drive）等の記憶手段であり、画像処理用のメモリーや各種設定を記憶するメモリーとしても使用される。また、記憶部５には、調理機器機能情報５１と、調理機器特定情報５２とが記憶されている。さらに、記憶部５には、原稿読取部３によって読み取った料理レシピの画像データを含むレシピ情報５３が記憶される。
【００１５】
調理機器機能情報５１は、ネットワーク１０を介して通信可能な調理機器の機能と、機能毎に設定可能な調理出力及び稼働時間とを示す情報である。本実施の形態の調理機器機能情報５１には、図２に示すように、オーブンレンジ２０ａの機能としてオーブン機能及びレンジ機能が、コンロ２０ｂの機能として過熱機能がそれぞれ登録されている。また、オーブン機能に設定可能な調理出力及び稼働時間として、１００〜３００℃と０〜２時間とが、レンジ機能に設定可能な調理出力及び稼働時間として１５０Ｗ、５００Ｗ、６００Ｗと０〜２時間とが、過熱機能に設定可能な調理出力及び稼働時間として、弱火、中火、強火と０〜２時間とがそれぞれ登録されている。なお、調理機器機能情報５１は、ネットワーク１０を介して各調理機器（オーブンレンジ２０ａ、コンロ２０ｂ）から収集して登録するようにしても良く、操作部２等からの入力によって登録するようにしても良い。
【００１６】
調理機器特定情報５２は、料理レシピの文字列の中から調理に使用する機能を特定するための照合情報である。調理機器特定情報５２として、例えば、機能を特定するための調理機器名、機能名や、機能毎の調理出力及び稼働時間が登録される。なお、調理機器名及び機能名は、類語を含む。また、調理出力及び稼働時間は、「数字」「Ｗ」、「数字」「分」や、「数字」「℃」、「数字」「分」の組み合わせが登録される。「数字」「Ｗ」、「数字」「分」の組み合わせによって、レンジ機能を特定することができ、「数字」「℃」、「数字」「分」の組み合わせでオーブン機能を特定することができる。
【００１７】
画像処理部６は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１８】
印刷部７は、記憶部５に記憶された画像データを印刷する印刷手段である。印刷部７は、例えば、記憶部５から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１９】
制御部８は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像形成装置１の動作制御を行うための制御プログラムが記憶されている。制御部８は、ＲＯＭに記憶されている制御プログラムを読み出し、制御プログラムをＲＡＭに展開させることで、操作部２から入力された各種指示情報に応じて装置全体の制御を行う。
【００２０】
また、制御部８は、調理機器特定部８１、設定情報抽出部８２、調理時間抽出部８３、設定通知部８４、設定解除部８５として機能する。
【００２１】
調理機器特定部８１は、光学文字認識（ＯＣＲ）機能を有し、原稿読取部３によって読み取られた料理レシピの画像データを文字列に変換し、文字列に変換した料理レシピを調理機器特定情報５２に基づいて検索することで、調理に用いる機能を特定する。そして、調理機器特定部８１は、調理機器機能情報５１を参照することで、特定した機能を有する調理機器を特定する。
【００２２】
設定情報抽出部８２は、調理機器特定部８１によって特定された機能の調理出力及び稼働時間を料理レシピから抽出する。
【００２３】
調理時間抽出部８３は、文字列に変換された料理レシピから総調理時間を抽出する。調理時間抽出部８３は、文字列に変換された料理レシピから総調理時間を示す文字列を検索し、検索した総調理時間を示す文字列に引き続く数字を総調理時間として抽出する。
【００２４】
設定通知部８４は、調理機器特定部８１によって特定された調理機器に、設定情報抽出部８２によって抽出された調理出力及び稼働時間を設定情報として通知する。
【００２５】
設定解除部８５は、設定通知部８４が調理機器に設定情報を通知した後、調理時間抽出部８３によって抽出された調理時間と、通知した設定情報とによって決まる猶予時間が経過すると、設定情報の解除を通知する。
【００２６】
次に、本実施の形態の画像形成装置１の調理支援動作について図３を参照して詳細に説明する。
画像形成装置１は、調理支援モードを有しており、ユーザーによって調理支援モードに設定されると（ステップＳ１）、スタートキーの操作を待機する（ステップＳ２）。
【００２７】
ユーザーが原稿読取部３に紙媒体の料理レシピをセットし、スタートキーを操作すると、画像形成装置１の制御部８は、原稿読取部３によって料理レシピの画像データを読み取る（ステップＳ３）。
【００２８】
そして、制御部８は調理機器特定部８１として機能し、原稿読取部３によって読み取った料理レシピの画像データを文字列に変換し（ステップＳ４）、文字列に変換した料理レシピを調理機器特定情報５２に基づいて検索することで、調理に用いる機能を特定する（ステップＳ５）。例えば、『オーブン』という文字列が料理レシピに存在していた場合には、オーブン機能が特定される。また、『２００℃で１５分加熱する』という文字列が料理レシピに存在していた場合にも、オーブン機能が特定される。なお、ステップＳ５で調理に用いる機能が特定できなかった場合には、調理支援動作は終了となる。
【００２９】
次に、調理機器特定部８１は、調理機器機能情報５１を参照することで、特定した機能を有する調理機器を特定する（ステップＳ６）。例えば、ステップＳ５でオーブン機能が特定された場合、オーブン機能を有するオーブンレンジ２０ａが特定される。なお、ステップＳ６で調理機器が特定できなかった場合には、調理支援動作は終了となる。
【００３０】
次に、制御部８は設定情報抽出部８２として機能し、ステップＳ５で特定された機能の調理出力及び稼働時間を料理レシピから抽出する（ステップＳ７）。例えば、『オーブン２００℃で１５分加熱する』という文字列が料理レシピに存在していた場合には、調理出力及び稼働時間として「２００℃」及び「１５分」が抽出される。
【００３１】
また、制御部８は調理時間抽出部８３として機能し、文字列に変換された料理レシピから総調理時間を抽出する（ステップＳ８）。
【００３２】
次に、制御部８は設定通知部８４として機能し、ステップＳ８で抽出した総調理時間と、ステップＳ７で抽出された稼働時間と基づいて、設定時刻を算出する（ステップＳ９）。一般的にオーブンレンジ２０ａ等の調理機器は調理の最終段階で用いられる。従って、ステップＳ８で抽出した総調理時間からステップＳ７で抽出された稼働時間を減算した時間は、調理機器を使用する前の準備時間となり、準備時間が経過した後に、調理機器の使用が行われることが想定される。そこで、設定通知部８４は、現在時刻に準備時間を加算した時刻を設定時刻として算出する。実際には、準備期間は前後するため、準備時間から所定時間を減算するか、１未満の係数を乗算することで、現在時刻に準備時間を加算した時刻よりも少し前を設定時刻と良い。
【００３３】
次に、設定通知部８４は、設定時刻に、ステップＳ６で特定された調理機器に対して、ステップＳ７で抽出された調理出力及び稼働時間を設定情報として通知する（ステップＳ１０）。画像形成装置１から設定情報を通知された調理機器は、通知された設定情報に基づいて設定を行う。例えば、設定情報として「２００℃」及び「１５分」がオーブンレンジ２０ａに通知された場合、オーブンレンジ２０ａは、調理方法を「オーブン」、調理温度を「２００℃」、調理時間を「１５分」に設定する。これにより、ユーザーは、調理を行う際に調理開始の処理を実行する（例えば、スタートボタンの操作）のみとなり、その他の設定は不要になる。
【００３４】
なお、設定通知部８４は、設定時刻と設定情報とを事前に通知し、調理機器が設定時刻に通知された設定情報に設定するようにしても良い。また、オーブン機能の場合には、余熱の時間を勘案して、設定時刻よりも前に設定情報を通知し、調理機器において設定時刻に設定情報で通知した調理出力（温度）に到達させると良い。
【００３５】
設定情報が通知された調理機器は、調理開始の処理を実行すると、調理開始通知を画像形成装置１に送信する。そして、制御部８は設定解除部８５として機能し、調理機器からの調理開始通知の受信と、予め設定された猶予期間の経過とを待機する（ステップＳ１１、Ｓ１２）。
【００３６】
猶予期間の経過前にステップＳ１１で調理機器からの調理開始通知を受信すると、設定解除部８５は、調理支援動作を終了させる。
【００３７】
また、調理機器からの調理開始通知の受信前にステップＳ１１で猶予期間が経過すると、設定解除部８５は、ステップＳ６で特定された調理機器に対して、設定解除を通知し（ステップＳ１３）、調理支援動作を終了させる。これは、猶予時間内に使用するはずの調理機器が使用されなかった等の状況を想定したもので、設定を解除することで、調理機器の誤操作を防止している。なお、猶予時間はユーザーが設定可能にすると良い。また、調理機器での調理開始の有無は、画像形成装置１から定期的に調理機器の状態を確認するようにしても良い。
【００３８】
なお、制御部８は、原稿読取部３によって読み取った料理レシピの画像データをタブレット３０ａに送信し、タブレット３０ａで料理レシピを閲覧可能にする。これにより、調理しながらでも料理レシピの内容をタブレット３０ａで確認することも可能となる。
【００３９】
なお、図４に示すように、設定情報の通知を指示する通知ボタン４０がレイアウトされた料理レシピの画像データをタブレット３０ａに送信して、表示させるようにしても良い。この場合、タブレット３０ａは、通知ボタン４０の操作を画像形成装置１に通知し、設定通知部８４は、タブレット３０ａで通知ボタン４０が操作されたタイミングで、ステップＳ８の設定情報の通知を実行する。これにより、ユーザーが実際に調理機器を使用するタイミングで設定を行うことができる。
【００４０】
画像形成装置１は、料理レシピ保存モードを有している。そして、ユーザーによって料理レシピ保存モードに設定されると、画像形成装置１は、ステップＳ３で読み取った料理レシピの画像データと、ステップＳ６で特定した調理機器と、ステップＳ７で抽出した調理出力及び稼働時間と、ステップＳ８で抽出した総調理時間とをレシピ情報５３として記憶部５に記憶させる。これにより、レシピ情報５３を選択して実行を指示することで上述の調理支援動作を十飛行することができる。
【００４１】
なお、レシピ情報５３については、後で参照しやすいようにデータ名称を付けると良い。データ名称はスキャンした紙媒体の料理レシピ上に記載されている情報の中からレシピ名称を抽出し（抽出方法はレシピのデータベースにあるレシピ名称とスキャンデータを比較して、全部一致もしくは前後一部一致のデータを抽出）、データ名称決定する際にデフォルト値として抽出したレシピ名称を設定する。ユーザーはデフォルト値をデータ名称しても良いし、独自の名称を設定することも可能である。データ名称が決定されたら、そのデータ名称に紐づいたスキャンして読み取った料理レシピの内容および、調理機器種別に紐づけられている情報が画像形成装置に保存される。
【００４２】
また、調理支援モードで実行した料理レシピをレシピ情報５３として記憶させるようにしても良い。この場合、レシピ情報５３保存しておくかどうかをユーザーに選択させる。
【００４３】
以上説明したように本実施の形態は、原稿の画像データを読み取る原稿読取部３と、調理機器（オーブンレンジ２０ａ、コンロ２０ｂ）との間で情報の送受信を行う通信部４とを備えた画像形成装置１であって、原稿読取部３によって読み取られた料理レシピの画像データを文字列に変換して、調理に用いる機能を特定し、特定した機能を有する調理機器を特定する調理機器特定部８１と、調理機器特定部８１によって特定された機能の調理出力及び稼働時間を前記料理レシピから抽出する設定情報抽出部８２と、調理機器特定部８１によって特定された調理機器に、設定情報抽出部８２によって抽出された調理出力及び稼働時間を設定情報として通知する設定通知部８４とを備えている。
この構成により、紙媒体上の料理レシピに基づいて、調理機器を設定することができるため、紙媒体上の料理レシピを用いて、調理支援を行うことができる。
【００４４】
さらに、本実施の形態によれば、料理レシピから総調理時間を抽出する調理時間抽出部８３を具備し、設定通知部８４は、総調理時間と稼働時間とに基づいて設定時刻を算出し、調理機器において設定時刻に設定情報を設定させる。
この構成により、使用するタイミングに合わせて、調理機器を設定することができる。
【００４５】
さらに、本実施の形態によれば、調理機器特定部８１によって特定された機能がオーブン機能である場合、設定通知部は、調理機器において設定時刻に設定情報で通知した調理出力（温度）に到達させる。
この構成により、使用するタイミングに合わせて、調理出力（温度）に到達させることができ、すぐに調理機器を使用することができる。
【００４６】
さらに、本実施の形態によれば、調理機器において設定時刻に設定情報が設定された後、調理が開始されることなく猶予時間が経過すると、設定解除を通知する設定解除部８５を備えている。
この構成により、調理機器の誤操作を防止している。すなわち、調理機器が料理レシピに基づいて設定されたままの状態では、他の目的に使用する場合の阻害要因になるため、猶予時間が経過すると設定を解除する。
【００４７】
さらに、本実施の形態によれば、通信部４は、設定情報の通知を指示する通知ボタン４０がレイアウトされた料理レシピの画像データを情報機器（タブレット３０ａ）に送信し、設定通知部８４は、通知ボタン４０が操作されたタイミングで設定情報を通知する。
この構成により、ユーザーが所望のタイミングで情報機器を設定することができる。
【００４８】
なお、本発明が上記各実施の形態に限定されず、本発明の技術思想の範囲内において、各実施の形態は適宜変更され得ることは明らかである。
【符号の説明】
【００４９】
１  画像形成装置
２  操作部
３  原稿読取部
４  通信部
５  記憶部
６  画像処理部
７  印刷部
８  制御部
１０  ネットワーク
２０ａ  オーブンレンジ
２０ｂ  コンロ
３０ａ  タブレット
４０  通知ボタン
５１  調理機器機能情報
５２  調理機器特定情報
５３  レシピ情報
８１  調理機器特定部
８２  設定情報抽出部
８３  調理時間抽出部
８４  設定通知部
８５  設定解除部
【図１】
2018207361.tif 000003
【図２】
2018207361.tif 000004
【図３】
2018207361.tif 000005
【図４】
2018207361.tif 000006